(57)【特許請求の範囲】
【請求項１】
可撓性を有する６つの壁が実質的に直交する六面体であり、それら壁が、互いに並行して上下方向へ延びる第１および第２側壁と、互いに並行して上下方向へ延びる第３および第４側壁と、前記第１側壁の上端縁に連接されて頂部開口を開閉可能な頂壁と、底部開口を閉じる底壁とから構成され、前記第３および第４側壁が、それら側壁の上端縁に連接されたフラップを有する物品収納容器において、
前記頂壁が、前記第１側壁の上端縁に連接され、該第１側壁の前記上端縁を中心に旋回して前記頂部開口を閉鎖可能な第１頂壁と、折曲線を介して前記第１頂壁に連接され、該折曲線を中心に旋回して前記第１頂壁に重なる第２頂壁とから形成され、前記第２頂壁が、横方向へ延びる自由端縁と、前記自由端縁の中央部に連接されて前記第１側壁の上端縁近傍に形成されたスリットから前記容器の内側に挿脱可能な係止片とを有することを特徴とする前記物品収納容器。
【請求項２】
前記第１側壁が、前記スリットから下方へ向かって形成されて該スリットの下方に位置する折曲線を介して上下方向へ旋回可能な開閉部を有し、前記容器では、前記開閉部を前記第１側壁の下方へ旋回させることで、前記スリットにつながって前記係止片を容器の内側から外側へ引き出すことが可能な開口が形成される請求項１記載の物品収納容器。
【請求項３】
前記スリットから下方へ延びる前記開閉部の両側縁が、前記第１側壁に切り離し可能に連接されている請求項２記載の物品収納容器。
【請求項４】
前記容器では、前記フラップどうしが上下に重なり合った状態で前記頂部開口を閉じることが可能である請求項１ないし請求項３いずれかに記載の物品収納容器。
【請求項５】
前記容器では、前記フラップどうしが係合手段を介して互いに係脱可能である請求項１ないし請求項４いずれかに記載の物品収納容器。
【請求項６】
前記第２側壁が、その上端縁から上方へ延びる延長壁を有する請求項１ないし請求項５いずれかに記載の物品収納容器。
【発明の詳細な説明】
【０００１】
【発明の属する技術分野】
本発明は、物品収納容器に関する。
【０００２】
【従来の技術】
可撓性を有する６つの壁が実質的に直交する六面体からなり、それら壁に囲繞された収納部に物品を収納して使用する物品収納容器は公知である。図９を参照し、前記公知の容器の一例を説明すると、以下のとおりである。図９では、上下方向を矢印Ｘで示し、横方向を矢印Ｙで示す。
【０００３】
容器４０は、互いに並行して上下方向へ延びる前後側壁４１，４２と、前後側壁４１，４２の間を互いに並行して上下方向へ延びる左右側壁４３，４４と、後側壁４２の上端縁４５に連接されて容器４０の頂部開口４６を開閉可能な頂壁４７と、後側壁４２の下端縁４８に連接されて底部開口４９を閉じる底壁５０とを有する。頂壁４７は、横方向へ延びる自由端縁５１と、自由端縁５１に連接されたフラップ５２とを有し、後側壁４２の上端縁４５から前側壁４１の上端縁５３に向かって上下方向へ旋回可能である。底壁５０は、横方向へ延びる自由端縁５４と、自由端縁５４に連接されたフラップ５５とを有する。左右側壁４３，４４の上下端縁５６，５７，６０，６１には、フラップ５８，５９，６２，６３が連接されている。
【０００４】
容器４０では、頂壁４７に連接されたフラップ５２と底壁５０に連接されたフラップ５５とが前側壁４１の内側に挿入されており、頂部開口４６と底部開口４９とが閉じられた状態にある。容器４０では、底壁５０が容器４０の下方へ旋回することを防ぐため、フラップ５５が接着剤（図示せず）を介して前側壁４１に固着されている。この容器４０の頂部開口４６を開けるには、フラップ５２を前側壁４１の内側から引き抜き、頂壁４７を容器４０の上方へ旋回させればよい。
【０００５】
【発明が解決しようとする課題】
この容器では、図９に二点鎖線で示すように、頂壁４７に連接されたフラップ５２が前側壁４１から上方へ移動し、頂壁４７とフラップ５８，６２とが上下方向へ離間する場合がある。容器４０では、頂壁４７とフラップ５８，６２とが離間すると、頂壁４７と頂部開口４６との間に隙間６４が生じ、容器４０内に収納した物品（図示せず）が隙間から容器４０の外側にこぼれてしまう場合がある。また、この容器４０では、頂壁４７に連接されたフラップ５２が前側壁４１の内側から抜出し易く、頂壁４７が容器４０の上方へ旋回して頂部開口４６が不用意に開いてしまう場合がある。
【０００６】
本発明の課題は、頂壁によって頂部開口を閉じたとき、頂壁と頂部開口との間に隙間が生じることはなく、頂壁が旋回して頂部開口が不用意に開いてしまうことがない物品収納容器を提供することにある。
【０００７】
【課題を解決するための手段】
前記課題を解決するための本発明の前提は、可撓性を有する６つの壁が実質的に直交する六面体であり、それら壁が、互いに並行して上下方向へ延びる第１および第２側壁と、互いに並行して上下方向へ延びる第３および第４側壁と、前記第１側壁の上端縁に連接されて頂部開口を開閉可能な頂壁と、底部開口を閉じる底壁とから構成され、前記第３および第４側壁が、それら側壁の上端縁に連接されたフラップを有する物品収納容器である。
【０００８】
かかる前提における本発明の特徴は、前記頂壁が、前記第１側壁の上端縁に連接され、該第１側壁の前記上端縁を中心に旋回して前記頂部開口を閉鎖可能な第１頂壁と、折曲線を介して前記第１頂壁に連接され、該折曲線を中心に旋回して前記第１頂壁に重なる第２頂壁とから形成され、前記第２頂壁が、横方向へ延びる自由端縁と、前記自由端縁の中央部に連接されて前記第１側壁の上端縁近傍に形成されたスリットから前記容器の内側に挿脱可能な係止片とを有することにある。
【０００９】
本発明の実施の形態の一例としては、前記第１側壁が、前記スリットから下方へ向かって形成されて該スリットの下方に位置する折曲線を介して上下方向へ旋回可能な開閉部を有し、前記容器では、前記開閉部を前記第１側壁の下方へ旋回させることで、前記スリットにつながって前記係止片を容器の内側から外側へ引き出すことが可能な開口が形成される。
【００１０】
本発明の実施の形態の他の一例としては、前記スリットから下方へ延びる前記開閉部の両側縁が、前記第１側壁に切り離し可能に連接されている。
【００１１】
本発明の実施の形態の他の一例として、前記容器では、前記フラップどうしが上下に重なり合った状態で前記頂部開口を閉じることが可能である。
【００１２】
本発明の実施の形態の他の一例として、前記容器では、前記フラップどうしが係合手段を介して互いに係脱可能である。
【００１３】
本発明の実施の形態の他の一例としては、前記第２側壁が、その上端縁から上方へ延びる延長壁を有する。
【００１４】
【発明の実施の形態】
添付の図面を参照し、本発明にかかる物品収納容器の詳細を説明すると、以下のとおりである。
【００１５】
図１，２は、頂部開口２を閉じた状態で示す物品収納容器１Ａの斜視図と、頂部開口２を開けた状態で示す容器１Ａの斜視図とであり、図３，４は、図２の状態から頂部開口２を閉じる手順を示す説明図である。それら図では、上下方向を矢印Ｘ、横方向を矢印Ｙで示し、前後方向を矢印Ｚで示す。
【００１６】
容器１Ａは、可撓性を有する６つの壁５，６，７，８，９，１０が実質的に直交する六面体であり、略立方体を呈する。容器１Ａには、それら壁５，６，７，８，９，１０に囲繞された収納部３が画成されている。容器１Ａは、頂部開口２から収納部３に物品（図示せず）を収納した後、頂部開口２を閉じ、それを棚に載置したり、フックに吊下げて陳列する。容器１Ａは、その形状を立方体に限定するものではなく、上下方向または前後方向へ長い直方体であってもよい。また、容器１Ａは、その大きさに限定はなく、収納する物品に合わせてその大きさを適宜決定することができる。
【００１７】
容器１Ａは、互いに並行して上下方向へ延びる前後側壁５，６と、前後側壁５，６の間を互いに並行して上下方向へ延びる左右側壁７，８と、頂部開口２を開閉可能な頂壁９と、底部開口４を閉じる底壁１０とを有する。容器１Ａでは、それら側壁５，６，７，８と頂底壁９，１０とのうちの隣接する壁どうしが互いに直交するように折曲されている。容器１Ａでは、それら側壁５，６，７，８と頂底壁９，１０とが方形を呈する。
【００１８】
この実施の形態では、前側壁５が請求の範囲における第１側壁に相当し、後側壁６が請求の範囲における第２側壁に相当するとともに、左右側壁７，８が請求の範囲における第３および第４側壁に相当する。ただし、この実施の形態におけるそれら側壁５，６，７，８が請求の範囲における第１〜第４側壁を直ちに意味するものではなく、実施の形態におけるそれら側壁５，６，７，８のうちのいずれかを請求の範囲における第１側壁とすることができることはいうまでもない。たとえば、後側壁６を第１側壁とした場合は、前側壁５が第２側壁となり、左右側壁７，８が第３および第４側壁となる。また、左側壁８を第１側壁とした場合は、右側壁７が第２側壁となり、前後側壁５，６が第３および第４側壁となる。
【００１９】
前側壁５は、横方向へ延びる上端縁１１と下端縁１２とを有する。前側壁５の上端縁１１には、頂壁９が連接されている。前側壁５の上端縁１１近傍には、横方向へ延びるスリット１３が形成されている。前側壁５には、スリット１３につながってスリット１３から下方へ延びる開閉部１４が形成されている。前側壁５の側縁１５には、接合部１７が連接されている。接合部１７は、左側壁７の内側に重なった状態で、左側壁７に接着剤（図示せず）を介して固着されている。後側壁６は、横方向へ延びる上端縁１８と下端縁１９とを有する。後側壁６では、その上端縁１８に延長壁２０が連接され、その下端縁１９に底壁１０が連接されている。
【００２０】
スリット１３は、その中央部１３ａが容器１Ａの上方へ向かって凸となり、中央部１３ａが前側壁５の上端縁１１から頂壁９の側に延びている。スリット１３では、中央部１３ａを除く両端部１３ｂが前側壁５の両側縁１５，１６へ向かうにつれて、容器１Ａの下方へ向かって次第に傾斜している。
【００２１】
開閉部１４は、スリット１３と並行して横方向へ延びる上端縁１４ａと、上端縁１４ａの両端から下方へ延びる両側縁１４ｂと、スリット１３の下方に位置して両側縁１４ｂの間を横方向へ延びる折曲線１４ｃとを有する。開閉部１４は、折曲線１４ｃを介して前側壁５の上下方向へ旋回可能である。開閉部１４の両側縁１４ｂは、前側壁５の下方へ向かうにつれて、互いの離間寸法が次第に近づくように傾斜して延びている。開閉部１４では、その両側縁１４ｂが前側壁５に間欠的に連接されており、両側縁１４ｂが前側壁５から切り離し可能である。開閉部１４では、その上端縁１４ａの中央１４ｄが容器１Ａの上方へ向かって凸となっている。
【００２２】
頂壁９は、前側壁５の上端縁１１に連接された第１頂壁９ａと、該第１頂壁９ａの上端縁でもある折曲線２１を介して第１頂壁９ａに連接された第２頂壁９ｂとから形成されている。第１頂壁９ａは、前側壁５の上端縁１１を中心にして上下方向へ旋回可能である。第２頂壁９ｂは、横方向へ延びる折曲線２１を中心にして上下方向へ旋回可能である。
【００２３】
第２頂壁９ｂは、横方向へ延びる自由端縁２２と、自由端縁２２の中央部２２ａに連接された係止片２３とを有する。自由端縁２２は、第１頂壁９ａへ向かって実質的に弧を画き、頂壁９によって頂部開口２を閉じたとき、その中央部２２ａが前側壁５の上端縁１１から後方へわずかに離間する。
【００２４】
係止片２３は、自由端縁２２の中央部２２ａの側に位置する基端部２３ａと、基端部２３ａの前方に位置する先端部２３ｂとを有する。先端部２３ｂは、横方向の最大寸法が基端部２３ａのそれよりも大きい幅広のものであり、その平面形状が半円形を呈する。図１では、係止片２３がスリット１３から容器１Ａの内側に挿入されている。
【００２５】
右側壁７は、前後方向へ延びる上端縁２４と下端縁２５とを有する。右側壁の上下端縁２４，２５には、右側壁７から左側壁８へ向かって横方向へ延びるフラップ２６，２７が連接されている。左側壁８は、前後方向へ延びる上端縁２８と下端縁２９とを有する。左側壁８の上下端縁２８，２９には、左側壁８から右側壁７へ向かって横方向へ延びるフラップ３０，３１が連接されている。
【００２６】
底壁１０は、後側壁６から前側壁５へ向かって前後方向へ延びている。底壁１０は、横方向へ延びる自由端縁３２と、自由端縁３２に連接されたフラップ３３とを有する。底壁１０は、後側壁６に連接されることなく、前側壁５と左右側壁７，８とのうちのいずれかに連接されていてもよい。フラップ３３は、自由端縁３２を介して前側壁５と並行するように折曲され、前側壁５の内側に挿入されている。フラップ３３は、前側壁５の内側に重なった状態で、前側壁５に接着剤（図示せず）を介して固着されている。
【００２７】
図１では、第１頂壁９ａが後側壁６の上端縁１８に向かって旋回し、第２頂壁９ｂが後側壁６の上端縁１１近傍から前側壁５の上端縁１１に向かって旋回しており、頂部開口２がそれら頂壁９ａ，９ｂによって閉じられた状態にある。第２頂壁９ｂは、第１頂壁９ａの上に重なっている。第１頂壁９ａと第２頂壁９ｂとの間には、フラップ２６，３０が介在している。図１では、係止片２３が前側壁５に形成されたスリット１３から容器１Ａの内側に挿入されており、係止片２３の基端部２３ａがスリット１３の中央部１３ａに進入するとともに、係止片２３の先端部２３ｂが容器１Ａの内側に係合している。容器１Ａでは、その内側に係止片２３の先端部２３ｂが係合することで、第１および第２頂壁９ａ，９ｂの上下方向への旋回が阻止されるので、頂部開口２が不用意に開いてしまうことを防ぐことができる。
【００２８】
容器１Ａでは、図１に示すように、第１頂壁９ａと第２頂壁９ｂとがフラップ２６，３０を挟んだ状態にあり、第１頂壁９ａがフラップ２６，３０の下に位置しているので、フラップ２６，３０の上に位置する第２頂壁９ｂが容器１Ａの上方へ移動し、第２頂壁９ｂとフラップ２６，３０とが上下方向へ離間したとしても、第１頂壁９ａがそれらフラップ２６，３０に押えられて頂部開口２の上方へ移動することはなく、第１頂壁９ａと頂部開口２との間に隙間が生じることはない。ゆえに、容器１Ａでは、収納部３に収納された物品が容器１Ａの外側へこぼれてしまうことを防ぐことができる。
【００２９】
容器１Ａでは、指を開口３４から容器１Ａの内側に挿入し、開閉部１４の上端縁１４ａの中央１４ｄを指で支持しつつ、折曲線１４ｃを介して開閉部１４を前側壁５の外側下方へ向かって旋回させると、開閉部１４の両側縁１４ｂが前側壁５から切り離される。開閉部１４を旋回させた容器１Ａには、スリット１３につながってスリット１３から前側壁５の下方へ向かって延びる開口３４が形成される。
【００３０】
容器１Ａでは、係止片２３の先端部２３ｂを支持しつつ、係止片２３を容器１Ａの上方へ旋回させることで、係止片２３を容器１Ａの内側から外側へ引き出すことができる。容器１Ａでは、係止片２３を容器１Ａの外側へ引き出すことで、容器１Ａと係止片２３との係合を解除することができ、図２に示すように、第１および第２頂壁９ａ，９ｂとフラップ２６，３０とを容器１Ａの上方へ旋回させて頂部開口２を開けることができる。容器１Ａでは、開閉部１４を旋回させることで、前側壁５に開口３４が形成されるので、開口３４を利用して容器１Ａと係止片２３との係合を容易に解除させることができる。
【００３１】
図２の状態から容器１Ａの頂部開口２を閉じるには、図３，４に示すように、第１頂壁９ａを矢印Ｘ１で示す容器１Ａの下方へ旋回させた後、フラップ２６，３０を矢印Ｘ２で示す容器１Ａの下方へ旋回させてそれらフラップ２６，３０を第１頂壁９ａの上に位置させ、第２頂壁９ｂを矢印Ｘ３で示す容器１Ａの下方へ旋回させて第２頂壁９ｂをそれらフラップ２６，３０の上に位置させる。次に、係止片２３を再び開口３４から容器１Ａの内側に挿入し、係止片２３の先端部２３ｂを容器１Ａの内側に係合させればよい。
【００３２】
容器１Ａでは、開口３４を利用して容器１Ａの内側に対する係止片２３の係合と解除とを繰り返すことができ、第１および第２頂壁９ａ，９ｂによって頂部開口２を何回でも開閉することができる。容器１Ａでは、係止片２３を開口３４から容器１Ａの外側に容易に引き出すことができるので、容器１Ａと係止片２３との係合を解除するときに、係止片２３を無理に容器１Ａの外側へ引っ張り出す必要はなく、係止片２３が破損してしまうことはない。
【００３３】
容器１Ａでは、開閉部１４の両側縁１４ｂが前側壁５に切り離し可能に連接されているので、開閉部１４が容器１Ａの外側へ向かって不用意に旋回してしまうことを防ぐことができる。容器１Ａでは、容器１Ａと係止片２３との係合を解除するために、開閉部１４の両側縁１４ｂを前側壁５から切り離さなければならないので、開閉部１４の両側縁１４ｂが前側壁５から切り離されていれば、容器１Ａの頂部開口２が少なくとも１回開けられたことがわかる。
【００３４】
図５は、図１の容器の展開平面図である。図５では、図の左方から右方へ向かって、前側壁５、右側壁７、後側壁６、左側壁８、の順で並んでいる。前側壁５には、側縁１５を介して糊代となる接合部１７が連接されている。前側壁５と右側壁７とは、側縁１６を介して連接されている。スリット１３は、係止片２３の先端部２３ｂを容器１Ａの内側に挿入することができるように、その横方向の寸法が係止片２３の先端部２３ｂの横方向の最大寸法と同一またはわずかに大きい。右側面７と後側面６とは、側縁３５を介して連接されている。後側面５と左側面８とは、側縁３６を介して連接されている。
【００３５】
図５の展開平面図から容器１Ａを組み立てる手順は、以下のとおりである。接合部１７が前側壁５に対して直交するように、接合部１７を側縁１５において折曲し、前側壁５が右側壁７に対して直交するように、前側壁５を側縁１６において折曲する。次に、右側壁７が後側壁６に対して直交するように、右側壁７を側縁３５において折曲し、後側壁６が左側壁８に対して直交するように、後側壁６を側縁３６において折曲する。それら壁５，６，７，８と接合部１７とを折曲した後は、互いに重なり合う左側壁６と接合部１７とを固着する。
【００３６】
フラップ２７が右側壁７に対して直交するように、フラップ２７を下端縁２５において折曲し、フラップ３１が左側壁８に対して直交するように、フラップ３１を下端縁２９において折曲する。次に、底壁１０が後側壁６に対して直交するように、底壁１０を下端縁１９において折曲し、フラップ３２が底壁１０に対して直交するように、フラップ３２を自由端縁３２において折曲する。フラップ３２を折曲した後は、フラップ３２を前側壁５の内側に挿入し、前側壁５とフラップ３２とを固着して底部開口４を閉じる。
【００３７】
第１頂壁９ａが前側壁５に対して直交するように、第１頂壁９ａを上端縁１１において折曲し、フラップ２６，３０が左右側壁７，８に対して直交するように、それらフラップ２６，３０を上端縁２４，２８において折曲する。次に、第２頂壁９ｂがフラップ２６，３０の上に重なるように、第２頂壁９ｂを折曲線２１において折曲し、係止片２３を自由端縁２２において折曲して係止片２３をスリット１３から容器１Ａの内側に挿入し、頂部開口２を閉じる。
【００３８】
図６，７は、他の実施の形態を示す物品収納容器１Ｂの斜視図と、頂部開口２を開けた状態で示す図６の容器１Ｂの斜視図とであり、図８は、図７の状態から頂部開口２を閉じる手順を示す説明図である。それら図では、上下方向を矢印Ｘ、横方向を矢印Ｙで示し、前後方向を矢印Ｚで示す。この容器１Ｂは、可撓性を有する６つの壁５，６，７，８，９，１０が実質的に直交する六面体であり、略立方体を呈する点において図１のそれと同一である。この容器１Ｂが図１のそれと異なる点は、以下のとおりである。
【００３９】
容器１Ｂでは、フラップ２６，３０を左右側壁７，８に対して直交するように、それらフラップ２６，３０を上端縁２４，２８において折曲したとき、それらフラップ２６，３０の自由端縁２６ａ，３０ａ近傍が互いに重なり合う。容器１Ｂでは、それらフラップ２６，３０によって頂部開口２を閉じることが可能である。フラップ３０には、その略中央部に係合片３７（係合手段）が形成されている。フラップ２６には、その略中央部に係止片３７を係脱可能に挿入する開口３８（係合手段）が形成されている。容器１Ｂでは、係合片３７を開口３８に挿入することで、それらフラップ２６，３０どうしを互いに係合させることができる。
【００４０】
後側壁６の上端縁１８に連接された延長壁２０には、円形の開口３９が形成されている。容器１Ｂでは、開口３９にフックを挿入することで、容器１Ｂをフックに吊下げることができる。
【００４１】
容器１Ｂでは、図６に示すように、フラップ２６，３０の自由端縁２６ａ，３０ａ近傍が互いに重なり合うので、第１および第２頂壁９ａ，９ｂとそれらフラップ２６，３０とによって頂部開口２を塞ぐことができるとともに、第１頂壁９ａがそれらフラップ２６，３０に押えられ、第１頂壁９ａが頂部開口２の上方へ移動することを確実に防ぐことができる。ゆえに、容器１Ｂでは、第１頂壁９ａと頂部開口２との間に隙間が生じることはない。容器１Ｂでは、フラップ２６，３０どうしを互いに係合させることができるので、フラップ２６，３０が容器１Ｂの上方へ不用意に旋回することを防ぐことができ、図１のそれと比較し、頂部開口２の閉じられた状態を確実に維持することができる。
【００４２】
容器１Ｂでは、開閉部１４を前側壁５の外側下方へ旋回させることで、前側壁５に開口３４が形成されるので、開口３４を利用して容器１Ｂと係止片１３との係合を容易に解除させることができる。
【００４３】
図７の状態から容器１Ｂの頂部開口２を閉じるには、第１頂壁９ａを容器１Ｂの下方へ旋回させた後、フラップ２６，３０を矢印Ｘ２で示す容器１Ｂの下方へ旋回させてそれらフラップ２６，３０を第１頂壁９ａの上方に位置させ、第２頂壁９ｂを矢印Ｘ３で示す容器１Ｂの下方へ旋回させて第２頂壁９ｂをそれらフラップ２６，３０の上方に位置させる。次に、係止片３７を開口３８に挿入してフラップ２６，３０どうしを係合させ、さらに、係止片１３を開口３４から容器１Ｂの内側に挿入して係止片１３の先端部１３ｂを容器１Ｂの内側に係合させればよい。容器１Ｂでは、開口３４を利用して容器１Ｂの内側に対する係止片１３の係合と解除とを繰り返すことができ、第１および第２頂壁９ａ，９ｂによって頂部開口２を何回でも開閉することができる。
【００４４】
容器１Ａ，１Ｂの材質としては、クラフト紙やグラシン紙等の紙、ポリプロピレンやポリエチレン等の熱可塑性合成樹脂から形成されたプラスチックシート、または、紙とプラスチックシートとをラミネートした複合シートのいずれかを使用することができる。左側壁７と接合部１７との固着や前側壁５とフラップ３３との固着には、接着剤の他に、ヒートシールや超音波接合等の熱による溶着手段を利用することができる。
【００４５】
それら図示の容器１Ａ，１Ｂでは、前側壁５に開閉部１４が形成されていなくてもよい。それら図示の容器１Ａ，１Ｂでは、開閉部１４の両側縁１４ｂが前側壁５に切り離し可能に連接されているが、開閉部１４の両側縁１４ｂがあらかじめ前側壁５から切り離されていてもよい。また、それら図示の容器１Ａ，１Ｂでは、後側壁６に延長壁２０が連接されていなくてもよい。図６の容器１Ｂでは、フラップ２６，３０に係合片３７と開口３８とが形成されていなくてもよい。
【００４６】
【発明の効果】
本発明に係る物品収納容器によれば、第１および第２頂壁によって容器の頂部開口を閉じたとき、フラップの上に位置する第２頂壁が容器の上方へ移動し、第２頂壁とフラップとが上下方向へ離間したとしても、第１頂壁がフラップの下に位置するので、それらフラップによって第１頂壁が頂部開口から上方へ離間することを阻止することができる。この容器では、第１頂壁と頂部開口との間に隙間が生じることはないので、収納部に収納された物品が容器の外側へこぼれてしまうことを防ぐことができる。
【００４７】
第１側壁に開閉部が形成された容器では、折曲線を介して開閉部を第１側壁の外側下方へ向かって旋回させることで、スリットから第１側壁の下方へ向かって延びる開口が形成されるので、開口を利用して係止片を容器の内側から外側へ引き出すことができ、係止片と容器との係合を容易に解除することができる。この容器では、頂部開口を閉じるときに、係止片を開口から容器の内部に挿入し、係止片を容器の内部に係合させればよく、容器の内側に対する係止片の係合と解除とを繰り返すことができ、第１および第２頂壁によって頂部開口を何回でも開閉することができる。
【００４８】
開閉部の側縁が第１側壁に切り離し可能に連接された容器では、開閉部が容器の外側へ向かって不用意に旋回してしまうことを防ぐことができる。この容器では、係止片と容器との係合を解除するときに、開閉部の両側縁を第１側壁から切り離さなければならないので、開閉部の両側縁が前側壁から切り離されていれば、容器の頂部開口が少なくとも１回開けられたことがわかる。
【００４９】
第３および第４側壁の上端縁に連接されたフラップどうしが上下に重なり合った状態で頂部開口を閉じることが可能な容器では、第１および第２頂壁とそれらフラップとによって頂部開口を塞ぐことができるとともに、それらフラップによって第１頂壁が頂部開口から上方へ離間することを確実に阻止することができる。ゆえに、この容器では、第１頂壁と頂部開口との間に隙間が生じることを確実に防ぐことができる。
【００５０】
第３および第４側壁の上端縁に連接されたフラップどうしが係合手段を介して互いに係合可能な容器では、フラップが容器の上方へ不用意に旋回することを防ぐことができ、第１および第２頂壁とそれらフラップとによって頂部開口を閉じたときに、頂部開口の閉じられた状態を確実に維持することができる。
【００５１】
第２側壁の上端縁に延長壁を有する容器では、容器に収納された物品の名称や形状、性質、使用方法等を延長壁に表示することができる。この容器では、それをフックに吊下げるための開口や切り込みを延長壁に形成することができる。
【図面の簡単な説明】
【図１】  頂部開口を閉じた状態で示す物品収納容器の斜視図。
【図２】  頂部開口を開けた状態で示す図１の容器の斜視図。
【図３】  図２の状態から頂部開口を閉じる手順を示す説明図。
【図４】  図２の状態から頂部開口を閉じる手順を示す説明図。
【図５】  図１の容器の展開平面図。
【図６】  他の実施の形態を示す物品収納容器の斜視図。
【図７】  頂部開口を開けた状態で示す図６の容器の斜視図。
【図８】  図７の状態から頂部開口を閉じる手順を示す説明図。
【図９】  公知の容器の一例を示す図。
【符号の説明】
１Ａ，１Ｂ    物品収納容器
２            頂部開口
４            底部開口
５            前側壁（第１側壁）
６            後側壁（第２側壁）
７            左側壁（第３側壁）
８            右側壁（第４側壁）
９            頂壁
９ａ          第１頂壁
９ｂ          第２頂壁
１０            底壁
１１            上端縁
１３            スリット
１４            開閉部
１４ｂ          両側縁
１４ｃ          折曲線
１８            上端縁
２０            延長壁
２１            折曲線
２２            自由端縁
２２ａ          中央部
２３            係止片
２４            上端縁
２６            フラップ
２８            上端縁
３０            フラップ
３４            開口
３７            係止片（係合手段）
３８            開口（係合手段）
【図１】
0004017063.tif 000002
【図２】
0004017063.tif 000003
【図３】
0004017063.tif 000004
【図４】
0004017063.tif 000005
【図５】
0004017063.tif 000006
【図６】
0004017063.tif 000007
【図７】
0004017063.tif 000008
【図８】
0004017063.tif 000009
【図９】
0004017063.tif 000010